(57)【特許請求の範囲】
【請求項１】
搭載タンクの内部が前後複数の液室に区画され、各液室の底部に底弁付き給排口を有し、タンク頂上に各液室の底弁開閉ハンドルを備えたタンクローリにおいて、
前記タンクは、頂面側が前後に略水平状をなし、底面側が前方から後方へ向かって下り勾配をなすと共に、底部の左右方向中央部が低くなった形状を備え、
各底弁付き給排口が液室後端近傍の左右方向中央部に設けられ、これら給排口がタンク底部に沿って配設した前後方向の送液管に連通されると共に、該送液管の後端側に送液ポンプと流れ方向切換用の切換弁とが介装されており、
前記タンクの前後複数の液室が、前部側の液室ほど前後長さを長くすることにより、略等しい容量に設定されてなることを特徴とするタンクローリ。
【発明の詳細な説明】
【技術分野】
【０００１】
本発明は、ガソリンの如き燃料油、油脂類、薬液等の各種液状物質の陸上輸送に使用されるタンクローリに関する。
【背景技術】
【０００２】
一般的に、タンクローリに搭載されるタンクは、内部が前後複数の液室に区画されており、各液室の底部に底弁付き給排口を備えると共に、頂上に各液室の底弁開閉ハンドルが設けられ、また各給排口の近傍には不測の事態に給排口を遮断するための緊急遮断弁が介在している。そして、各給排口はタンク下に配設された送液管に接続されており、各液室への液体の供給は該送液管に介装された送液ポンプを介して行う一方、各液室からの排出については、不燃性液体では同様にポンプを利用するが、ガソリンや軽油等の可燃性液体では強制排出が禁止されているために重力による自然排出を行うようにしている。
【０００３】
しかるに、通常のタンク構成では，上記のように各液室についてポンプによる強制給排と重力による自然排出とを可能にする上で、流路切換弁を含めた配管構造が非常に複雑にならざるを得ず、そのために設備コストが高くついていた。そこで、このようなタンクローリにおける配管構造を簡素化する手段として、車台に対してタンク全体を前部側よりも後部側が低くなる傾斜状態に搭載し、その傾斜したタンク底部に沿って送油管を配設し、この送油管に各液室の底弁付き給排口を直列に連通接続すると共に、該送油管に送油ポンプ直結の切換弁と末端の開閉コックとを直列に連通連結することが提案されている（特許文献１）。
【特許文献１】実公平６−２４３９７号公報
【０００４】
この提案構成では、搭載タンクの傾斜配置を利用して、その複数の液室に対する強制給排と自然排出とを略一本の直列配管経路によって行うことができ、従来のような複雑な配管が不要になるから、設備コストを大きく低減できるという利点がある。
【発明の開示】
【発明が解決しようとする課題】
【０００５】
しかしながら、タンクローリでは各液室の底弁を開閉するにあたって作業者がタンクの頂上に登って底弁開閉ハンドルを操作するが、上記提案構成のタンクローリではタンク全体が後方に低く傾斜し、その頂上側も後方に低く傾斜した状態になっているから、頂上に登った作業者は傾斜面上に不自然に立つことになり、平常の平衡感覚からのずれにより、作業中の姿勢変更や歩行移動の際に身体のバランスを崩し易く、これが転落等の事故に繋がる懸念があった。一方、このような危険性を少なくするためにタンクの傾斜度合を小さくすれば、その底面の傾斜も緩くなるから、自然排出における排出性が低下し、特に残液量が少なくなってくると、排出が緩慢になって著しい能率低下をきたすことになる。
【０００６】
本発明は、上述の情況に鑑み、この種のタンクローリとして、タンクの複数の液室に対するポンプによる給排と自然排出とを略一本の直列配管経路によって行うことができる上、タンク頂上で底弁開閉操作を行う作業者が平常の平衡感覚の元に安全に作業及び歩行移動できるものを提供することを目的としている。
【課題を解決するための手段】
【０００７】
上記目的を達成するために、本発明の請求項１は、図面の参照符号を付して示せば、搭載タンク１の内部が前後複数の液室１０Ａ〜１０Ｃに区画され、各液室１０Ａ〜１０Ｃの底部に底弁２付き給排口３を有し、タンク１頂上に各液室１０Ａ〜１０Ｃの底弁開閉ハンドル２２を備えたタンクローリにおいて、タンク１は、頂面１ａ側が前後に略水平状をなし、底面側１ｂが前方から後方へ向かって下り勾配をなすと共に、底部の左右方向中央部が低くなった形状を備え、各底弁２付き給排口３が液室後端近傍の左右方向中央部に設けられ、これら給排口３がタンク１底部に沿って配設した前後方向の送液管４に連通されると共に、該送液管４の後端側に送液ポンプ５と流れ方向切換用の切換弁６とが介装されており、前記タンク１の前後複数の液室１０Ａ〜１０Ｃが、前部側の液室ほど前後長さを長くすることにより、略等しい容量に設定されてなることを特徴としている。
【発明の効果】
【０００９】
請求項１の発明によれば、搭載タンクの底面側が前方から後方へ向かって下り勾配をなし、各液室の底弁付き給排口が液室後端近傍の低くなった左右方向中央部に設けられ、これら給排口がタンク底部に沿って配設した送液管に直列に連結される構造であるから、その複数の液室に対する強制給排と自然排出とを略一本の直列配管経路によって行うことができ、簡素な配管構成によって設備コストを大きく低減でき、且つ底面側の勾配を大きくして自然排出時の液排出性を高め、もって能率アップを図ることが可能である上、タンク頂面側は前後に略水平状をなすことから、底弁の開閉操作のためにタンク頂上に登った作業者は平常の平衡感覚の元に作業及び歩行移動でき、もって傾斜面上におけるような平衡感覚のずれに起因した転落等の事故を防止できる。
【００１０】
上記構成のタンクでは、頂面側が前後に略水平状で、底面側が前方から後方へ向かって下り勾配をなす形状であるから、前後方向単位長さ当たりの容積が後部ほど大きくなる。しかるに、本発明では、前部側の液室ほど前後長さを長くすることにより、複数の液室を略等しい容量に設定しているから、液量管理を通常のタンクローリ同様に容易に行える。
【発明を実施するための最良の形態】
【００１１】
以下、本発明の一実施形態に係るタンクローリについて、図面を参照して具体的に説明する。図１はタンク部分を縦断面で示すタンクローリ全体の模式側面図、図２はタンクの横断平面図、図３はタンクを車体前方側から見た正面図、図４はタンク部分の縦断側面図である。
【００１２】
このタンクローリＴＬのタンク１は、左右方向縦断面が略横長楕円形で前後方向に長い筒状であるが、車台Ｆに搭載された状態で、頂面側１ａが前後に略水平状をなすと共に、底面側１ｂが前方から後方へ向かって下り勾配をなす形状を備えており、内部が後方へ膨出するように湾曲した隔壁１１によって前後複数（図では３つ）の液室１０Ａ〜１０Ｃに区画されている。
【００１３】
これら液室１０Ａ〜１０Ｃの各々底部には、底弁２付き給排口３が液室後端近傍で最も低くなった左右方向中央部に設けられ、その各底弁２から上方へ伸びる連杆２１の上端部がタンク壁を貫通して上方へ突出し、この突出した上端部に底弁開閉ハンドル２２が取り付けられている。また、液室１０Ａ〜１０Ｃの各々内部には、前後左右の支柱１２ａ…を介して、前後方向に長い帯板状の４枚の防波板１２…が、上下２枚同士で垂直にした板面を左右方向に対向するように配置している。１３は液室１０Ａ〜１０Ｃの各々頂部に設けられたマンホールである。
【００１４】
しかして、タンク１の下面側には左右方向中央部に沿って前後方向に延びる送液管４が配設され、この送液管４に液室１０Ａ〜１０Ｃの各給排口３が連通接続されると共に、タンク１の後端よりも後方へ延出した該送液管４の後端側に、送液ポンプ５と流れ方向切換用の切換弁６とが介装されている。７は該送液管４の後端の給排口４ａを開閉する開閉弁である。
【００１５】
上記の切換弁６としては、送液ポンプ５に直結されてタンク１内の液体を送液管４の給排口４ａから強制的に排出する強制排出位置と、送液管４の給排口４ａから導入した液体をタンク１内へ強制的に流入させる強制流入位置と、送液ポンプ５内を液体が循環する中立位置とに切り換えできるものがよく、例えば実公平６−２４３９７号に開示された切換弁の構造を好適に採用できる。また、図示を省略しているが、液室１０Ａ〜１０Ｃの各給排口３には、底弁２と共に、不測の事態に当該給排口３を遮断するための緊急遮断弁が介装されている。この緊急遮断弁としては、例えば本出願人に係る特許第３５４１５３号に開示される構造を始めとして、従来よりタンクローリに用いられている種々の構造のものを使用できる。
【００１６】
なお、図３に示すように、タンク１の前端鏡板１ｃは水平長軸ｍを境とした上下半部が同一形状の正楕円形をなし、この正楕円形の上半部の形状寸法がタンク１の前端から後端まで連続するが、当該タンク１の下半部については、前端鏡板１ｃの正楕円形の下半部から次第に下方へ膨出する形で底面側１ｂの下り勾配Δｈが設定されている。従って、該タンク１の後端鏡板１ｄは、垂直中央線ｓの左右が対称であるが、水平長軸ｍの上下が非対称になった略楕円形になっている。
【００１７】
しかして、タンク１は、このような前部側から後部側への形状変化により、前後方向単位長さ当たりの容積が後部ほど大きくなるが、図２に示すように、液室１０Ａ〜１０Ｃの前後長さＬ１〜Ｌ３をＬ１＞Ｌ２＞Ｌ３と前部側ほど長くすることにより、これら液室１０Ａ〜１０Ｃを等しい容量に設定している。
【００１８】
また、図４に示すように、タンク１は、マンホール１３部分を除く外側全体が断熱材層８にて被包されると共に、下面側にヒートパイプ９が配設され、また頂面側１ａには頂上部を矩形に取り囲む防護枠１４が取り付けられ、この防護枠１４の内側に水平な踏み板１５が配設されている。１６は支脚フレームである。
【００１９】
上記構成のタンクローリは、搭載したタンク１の底面側１ｂが前方から後方へ向かって下り勾配をなし、前後に区画された複数の液室１０Ａ〜１０Ｃの底弁２付き給排口３がタンク１底部に沿って配設した前後方向の送液管４に連通接続しているから、その複数の液室１０Ａ〜１０Ｃに対する液体の送液ポンプ５を介した強制給排と自然排出とを略一本の直列配管経路によって行え、それだけ配管構成が簡素になって設備コストを大きく低減できる。しかも、このタンクローリでは、タンク１の頂面側１ａは前後に略水平状をなすことから、底弁２の開閉操作のためにタンク１の頂上に登った作業者は、平常の平衡感覚の元に安全に作業及び歩行移動でき、傾斜面上におけるような平衡感覚のずれに起因した転落等の事故を防止できる。
【００２０】
更に、このような構成では、タンク１の底面側１ｂの勾配を大きくしても差し支えないから、この勾配を強くして自然排出時の液排出性を高め、もって能率アップを図ることが可能である。また、この実施形態のように、タンク１の複数の液室１０Ａ〜１０Ｃについて、その前部側のものほど前後長さを長くすることで容量を等しく設定すれば、通常のタンクローリ同様に容易に液量管理を行える。
【００２１】
なお、上記実施形態ではタンク１として左右方向断面が略楕円形をなすものを例示したが、本発明は同断面形状が円形、方形、多角形、逆台形等、種々異なるものにも同様に適用できる。また、本発明では、タンク１の液室数、保温の有無、マンホール形状、防波板１２の配置構成、フレーム構造等、細部構成については実施形態以外に種々設計変更可能である。
【図面の簡単な説明】
【００２２】
【図１】本発明の一実施形態に係るタンクローリのタンク部分を縦断面で示す全体の模式側面図である。
【図２】同タンクローリのタンクの横断平面図である。
【図３】同タンクの車体前方側から見た正面図である。
【図４】同タンク部分の縦断側面図である。
【符号の説明】
【００２３】
ＴＬ            タンクローリ
１              タンク
１ａ            頂面側
１ｂ            底面側
１０Ａ〜１０Ｃ  液室
１１            隔壁
２              底弁
２２            底弁開閉ハンドル
３              給排口
４              送液管
５              送液ポンプ
６              切換弁
【図１】
0004563293.tif 000002
【図２】
0004563293.tif 000003
【図３】
0004563293.tif 000004
【図４】
0004563293.tif 000005